(57)【要約】【課題】より簡単な構造で電源コードの過熱を抑制するコードリールを提供する。【解決手段】コードリールは、電源コードが巻回される胴部と、胴部の外周面から出没可能なスイッチ本体部とスイッチ本体部に接続される接点とを有し、閉状態では胴部の外周面から径方向外側に向けてスイッチ本体部が突出して接点同士が接触し、開状態では胴部の径方向内側に向けてスイッチ本体部が押し込まれて接点同士が離れる状態となる押ボタンスイッチと、を備える。電源コードの途中部分は、押ボタンスイッチを介して接続される。電源コードが胴部の外周面に巻回された状態では、電源コードに押圧されてスイッチ本体部が径方向内側に押し込まれ押ボタンスイッチが開状態となり、電源コードが胴部から引き出された状態では、胴部の径方向外側に向けてスイッチ本体部が突出して押ボタンスイッチが閉状態となる。【選択図】図３
2020125182.tif 000002
【特許請求の範囲】
【請求項１】
電源コードが巻回可能な胴部と、
前記電源コードの一端と他端との間に設けられて電気的な導通状態と遮断状態とを切り替え可能であり、前記電源コードが巻回されると、前記電源コードが電気的な遮断状態となる押ボタンスイッチと、を備える
コードリール。
【請求項２】
前記押ボタンスイッチは、前記胴部の軸方向に複数に並んで配置され、互いに電気的に直列に接続される
請求項１に記載のコードリール。
【請求項３】
複数の前記押ボタンスイッチのそれぞれは、互いに前記胴部の周方向にずれた位置に配置される
請求項２に記載のコードリール。
【請求項４】
前記電源コードは、導線と、前記導線の外周を被覆する絶縁性の被覆部と、前記被覆部の外表面から径方向の外側に向けて突出する凸部と、を含む
請求項１から３のいずれか１項に記載のコードリール。
【請求項５】
前記凸部は、中空部を有する
請求項４に記載のコードリール。
【発明の詳細な説明】
【技術分野】
【０００１】
本発明は、コードリールに関する。
【背景技術】
【０００２】
電源コードをコードリールに巻き取ったままの状態で通電を行うと、電源コードが過熱する場合があるため、例えば温度センサを設ける技術がある（特許文献１参照）。特許文献１では、コードリールに温度センサを設け、この温度センサで検出した温度が所定値以上のときに電源を遮断することにより、電源コードの過熱を抑制する。
【先行技術文献】
【特許文献】
【０００３】
【特許文献１】特開２０１６−１５２６７８号公報
【発明の概要】
【発明が解決しようとする課題】
【０００４】
近年、より簡単な構造で電源コードの過熱を抑制するコードリールが望まれている。
【０００５】
本発明は、前記の課題に鑑みてなされたもので、より簡単な構造で電源コードの過熱を抑制するコードリールを得ることを目的とする。
【課題を解決するための手段】
【０００６】
本発明に係るコードリールは、電源コードが巻回可能な胴部と、前記電源コードの一端と他端との間に設けられて電気的な導通状態と遮断状態とを切り替え可能であり、前記電源コードが巻回されると、前記電源コードが電気的な遮断状態となる押ボタンスイッチと、を備える。
【発明の効果】
【０００７】
本発明によれば、より簡単な構造で電源コードの過熱を抑制するコードリールを得ることができる。
【図面の簡単な説明】
【０００８】
【図１】図１は、本発明の実施形態に係るコードリールを示す模式図である。
【図２】図２は、図１を斜め上方から見た模式図である。
【図３】図３は、本発明の実施形態に係るコードリールの胴部の一部を側方から見た模式的な断面図である。
【図４】図４は、本発明の実施形態に係るコードリールの回路図である。
【図５】図５は、電源コードを側方から見た模式図である。
【図６】図６は、図５の断面図である。
【図７】図７は、電源コードが折り重なった部分の断面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１０】
また、本明細書と各図において、既出の図に関して前述したものと同様の要素には、同一の符号を付して、詳細な説明を適宜省略することがある。
【００１１】
まず、本発明の実施形態について説明する。図１は、本発明の実施形態に係るコードリールを示す模式図である。図２は、図１を斜め上方から見た模式図である。図３は、本発明の実施形態に係るコードリールの胴部の一部を側方から見た模式的な断面図である。
【００１２】
コードリール１は、ドラム２と、押ボタンスイッチ３と、電源コード４と、取手部５と、スタンド６と、を備える。
【００１３】
ドラム２は、胴部２１と、側板２２，２３と、を有する。胴部２１は、円筒形状を有する。胴部２１は、支持軸２４によって、側板２２，２３に回転可能に支持される。支持軸２４は、胴部２１の軸方向Ｄ１に延びる。胴部２１の外周面２１１に、電源コード４が巻回される。側板２２，２３は、それぞれ円盤状の形状を有する。胴部２１の軸方向Ｄ１の端部に側板２２，２３が固定される。従って、図２に示すように、胴部２１の軸方向Ｄ１の端部から径方向外側に向けてフランジのように側板２２，２３が立ち上がる。胴部２１の外周面２１１には、貫通孔２１２が設けられる。電源コード４の端部は、貫通孔２１２に挿入されたのち、胴部２１の内部に延び、後述する押ボタンスイッチ３に接続されたあとに、電源端子４３に接続される。
【００１４】
押ボタンスイッチ３は、本実施形態では、第１スイッチ３１と、第２スイッチ３２と、第３スイッチ３３と、を含む。押ボタンスイッチ３は、電源コード４の一端４１と他端との間に設けられて開状態又は閉状態になることで電気的な導通状態と遮断状態とを切り替え可能である。第１スイッチ３１、第２スイッチ３２及び第３スイッチ３３は、胴部２１の軸方向Ｄ１に沿って複数（本実施形態では３つ）並ぶ。図３に示すように、第１スイッチ３１は、スイッチ本体部３４と、接点３５と、を有する。なお、第２スイッチ３２及び第３スイッチ３３も同様の構造を有するが、第１スイッチ３１を例にとって説明する。
【００１５】
図３に示すように、スイッチ本体部３４は、突出部３４１と、脚部３４２と、先端部３４３と、を有する。胴部２１には、径方向Ｄ２に沿って延びる凹部２１３が設けられる。スイッチ本体部３４は、凹部２１３に収容されており、胴部２１の外周部分に径方向Ｄ２に沿ってスライド可能に設けられる。換言すれば、スイッチ本体部３４は、外周面２１１から出没可能に設けられる。突出部３４１は、胴部２１の外周面２１１に沿って円弧状に延びる。脚部３４２は、突出部３４１から径方向Ｄ２の内側に向けて延びる。脚部３４２の外周側にバネ３７が螺旋状に巻回される。ここで、図３において、実線はスイッチ本体部３４に負荷がかかっていない無負荷状態を示し、二点鎖線は径方向Ｄ２の内側に向かう荷重Ｆがスイッチ本体部３４に印加された負荷状態を示す。図３の実線に示すように、無負荷状態ではバネ３７が伸びた状態となるため、突出部３４１の径方向Ｄ２の外側面３４１ａは、バネ３７によって径方向Ｄ２の外側に向けて突出した状態となる。そして、電源コード４が巻回することにより、径方向Ｄ２の内側に向かう荷重Ｆが突出部３４１に印加されると、図３の二点鎖線に示すように、スイッチ本体部３４が径方向Ｄ２の内側に向けて移動する。また、図３の実線に示すように、電源コード４が引き出されると、バネ３７が伸びて径方向Ｄ２の外側に向かう荷重が突出部３４１に印加され、スイッチ本体部３４が径方向Ｄ２の外側に向けて移動する。
【００１６】
脚部３４２の先端には、先端部３４３が固定される。先端部３４３は、第１接点３５１（接点）を有する。また、電源コード４の途中部分は、第１接続部４４と、第２接続部４５と、を有する。第１接続部４４と、第２接続部４５と、は先端部３４３を介して通電又は遮断される。第１接続部４４及び第２接続部４５には、第２接点３５２（接点）が設けられる。図３の実線で示す無負荷状態では、第１接点３５１（接点）と、第２接点３５２（接点）と、が接触しているため、第１接続部４４と第２接続部４５とが導通状態となっている。
【００１７】
また、電源コード４が巻回することにより、径方向Ｄ２の内側に向かう荷重Ｆが突出部３４１に印加されると、図３の二点鎖線に示すように、バネ３７が縮んでスイッチ本体部３４が径方向Ｄ２の内側に移動する。そして、先端部３４３が径方向Ｄ２の内側に移動して、第１接点３５１と第２接点３５２とが離れると、第１接続部４４と第２接続部４５とが遮断状態となる。このように、押ボタンスイッチ３は、閉状態（ＯＮの状態）では胴部２１の外周面２１１から径方向Ｄ２の外側に向けてスイッチ本体部３４が突出して接点同士が接触し、開状態（ＯＦＦの状態）では胴部２１の径方向Ｄ２の内側に向けてスイッチ本体部３４が押し込まれて接点同士が離れる状態となる。
【００１８】
電源コード４の一端４１は、電源プラグ４２に接続される。電源コード４の他端は電源端子４３に接続される。電源端子４３は、図１に示すように、側板２３の径方向中央部に複数（実施形態では４つ）設けられる。
【００１９】
取手部５及びスタンド６は、側板２２に固定される。取手部５を把持して、コードリール１を持ち運ぶことが可能である。スタンド６によって、コードリール１が地面や床面等に載置される。
【００２０】
図４は、本発明の実施形態に係るコードリールの回路図である。図４を参照して、電源プラグ４２から電源端子４３までの電流の流れを説明する。なお、電源コード４の途中部分には、３つの第１スイッチ３１、第２スイッチ３２及び第３スイッチ３３と、漏電遮断器３６と、が直列に設けられている。
【００２１】
図４では、第１スイッチ３１、第２スイッチ３２及び第３スイッチ３３は、全て開状態（ＯＦＦ状態）である。これは、電源コード４が胴部２１の外周面２１１に巻回されて、第１スイッチ３１、第２スイッチ３２及び第３スイッチ３３を径方向Ｄ２の内側へ押し込んでいる状態である。この状態では、電源端子４３が導通状態になっていないため、電気機器のコンセントを電源端子４３に差し込んで、電気機器のスイッチをＯＮにしても電気機器は稼動しない。
【００２２】
そして、電源コード４が胴部２１の外周面２１１から引き出されると、第１スイッチ３１、第２スイッチ３２及び第３スイッチ３３は、全て閉状態（ＯＮ状態）となる。この状態では、電源端子４３が導通状態になっているため、電気機器のコンセントを電源端子４３に差し込んで、電気機器のスイッチをＯＮにすれば電気機器は稼動可能となる。
【００２３】
図５は、電源コードを側方から見た模式図である。図６は、図５の断面図である。図７は、電源コードが折り重なった部分の断面図である。
【００２４】
電源コード４は、導線４０１と、被覆部４０２と、凸部４０３と、を有する。導線４０１は径方向中央部に配置され、例えば銅などの通電可能な材質を有する。被覆部４０２は、導線４０１の外周を被覆する絶縁性の部材であり、例えば、ゴムや樹脂等が適用可能である。凸部４０３は、被覆部４０２の外表面から径方向の外側に向けて突出する。凸部４０３は、例えば、周方向に沿って等間隔に複数配置される。本実施形態では、周方向に沿って約６０°の中心角をおいて合計６つの凸部４０３が設けられる。凸部４０３は、電源コード４の軸方向に直交する断面において、矩形状の形状を有する。凸部４０３には、断面円形の中空部４０４が設けられる。
【００２５】
なお、凸部４０３及び中空部４０４は、本実施形態では、図５に示すように、被覆部４０２の周囲を螺旋状に延びる。凸部４０３と被覆部４０２とは、例えば一体成形されている。凸部４０３と被覆部４０２を成形する際には、導線４０１と、導線４０１の外周側に配置した、螺旋状に変形した６本の円筒部材と、を金型内に配置したのち、溶融したゴム等を金型内に流し込み硬化させる製造方法を採用することができる。６本の円筒部材によって、前記中空部４０４が成形される。
【００２６】
また、図７に示すように、電源コード４が折り重なった部分においては、下側の電源コード４と上側の電源コード４とが凸部４０３によって互いに上下方向に離隔して配置される。また、下側の電源コード４についても、横方向に隣接した電源コード４同士が凸部４０３によって互いに横方向に離隔して配置される。
【００２７】
以上説明したように、本実施形態に係るコードリールにおいては、電源コード４が胴部２１の外周面２１１に巻回された状態では、電源コード４に押圧されてスイッチ本体部３４が径方向内側に押し込まれ押ボタンスイッチ３が開状態となり、電源コード４が胴部２１から引き出された状態では、胴部２１の径方向外側に向けてスイッチ本体部３４が突出して押ボタンスイッチ３が閉状態となる。
【００２８】
これによれば、電源コード４を巻き取った状態では、電源コード４に押圧されてスイッチ本体部３４が径方向内側に押し込まれ押ボタンスイッチ３が開状態となるため、より簡単な構造で電源コード４の過熱を抑制することができる。
【００２９】
押ボタンスイッチ３は、胴部２１の軸方向に３つ（複数）並んで配置され、互いに電気的に直列に接続される。これによれば、３つの押ボタンスイッチ３のうち１つでも開状態の場合は通電しないため、より確実に電源コード４の過熱を抑制することができる。
【００３０】
電源コード４は、導線４０１と、導線４０１の外周を被覆する絶縁性の被覆部４０２と、被覆部４０２の外表面から径方向の外側に向けて突出する凸部４０３と、を含む。従って、コードリール１から電源コード４を全て引き出して外部で電源コード４が絡み合って折り重なる部分が生じた場合、重なり方向に隣接する導線４０１同士が凸部４０３によって離隔距離が大きくなり、また、凸部４０３同士の部位に間隙が生じる。このため、電源コード４に折り重なる部分が生じた場合でも、通電によって発生する熱が発散され電源コード４の過熱を抑制することができる。
【００３１】
凸部４０３は、中空部４０４を有する。従って、通電によって発生する熱が更に効率よく発散され電源コード４の過熱をより抑制することができる。
【００３２】
電源コード４は、被覆部４０２の外周に設けられ長手方向に向かうに従って螺旋状に延びる凸部４０３を有する。このように、凸部４０３が螺旋状の構造を有するため、コードリール１に電源コード４を巻き取る際に巻き取りやすくなる。また、凸部４０３が長手方向に向かうに従って直線状に延びる場合よりも、電源コード４が上下に重なった際に上下に隣接する電源コード４同士の距離を大きく維持することができる。即ち、凸部４０３が長手方向に向かうに従って直線状に延びる場合は、電源コード４が上下に重なった際に、隣接する一方の電源コード４の凸部４０３が、他方の電源コード４の凸部４０３以外の部位に当たる可能性が高いため、上下に隣接する電源コード４同士の距離が小さくなる。
【００３３】
なお、前記実施形態の具体的構成はあくまで一例であってこれに限られるものでなく、適宜変更可能である。
【００３４】
例えば、前記実施形態では、第１スイッチ３１、第２スイッチ３２及び第３スイッチ３３のスイッチ本体部３４を、胴部２１の軸方向Ｄ１に沿って３つ配置した。しかし、軸方向に隣接するスイッチ本体部同士を、互いに胴部２１の周方向にずれた位置に配置してもよい。例えば、図２に示す第２スイッチ３２を、第１スイッチ３１に対して周方向の時計回り方向に中心角が１２０°ずれた位置に配置し、第３スイッチ３３を、第２スイッチ３２に対して周方向の時計回り方向に中心角が１２０°ずれた位置に配置してもよい。この場合、第１スイッチ３１、第２スイッチ３２及び第３スイッチ３３が、周方向に等間隔で３つ並ぶ。
【００３５】
これにより、電源コード４が軸方向に多少ずれて巻き取られた場合でも、より確実に第１スイッチ３１、第２スイッチ３２及び第３スイッチ３３の少なくともいずれかを押し込んで、回路をより安全な開状態にすることができる。
【００３６】
第１スイッチ３１、第２スイッチ３２及び第３スイッチ３３のスイッチ本体部３４は、電源コード４の自重のみの押圧力によって径方向に移動可能としてもよい。つまり、電源コード４の巻付力が小さい場合でも、電源コード４がスイッチ本体部３４の上に載置されているだけでスイッチ本体部３４が径方向内側に移動してスイッチが開状態になるようにしてもよい。なお、押ボタンスイッチ３の個数は、３つに限定されない。
【符号の説明】
【００３７】
１  コードリール
２１  胴部
２１１  外周面
３  押ボタンスイッチ
３４  スイッチ本体部
３５１  第１接点（接点）
３５２  第２接点（接点）
４  電源コード
４０１  導線
４０２  被覆部
４０３  凸部
【図１】
2020125182.tif 000003
【図２】
2020125182.tif 000004
【図３】
2020125182.tif 000005
【図４】
2020125182.tif 000006
【図５】
2020125182.tif 000007
【図６】
2020125182.tif 000008
【図７】
2020125182.tif 000009